(57)【特許請求の範囲】
【請求項１】
ピニオンを回転駆動させるモータと、エンジンの出力軸に連結されたリングギアに前記ピニオンを噛み合わせるべく該ピニオンを該リングギアに向かって押し出す電磁駆動式のアクチュエータとを有して構成されるスタータと、前記出力軸の回転速度を検出する検出手段とを備える車両に適用され、前記リングギアに前記ピニオンを噛み合わせた状態で該ピニオンを回転駆動させることによりクランキングを行わせる機能と、所定の停止条件が成立した場合に前記エンジンを自動停止させ、その後所定の再始動条件が成立した場合に前記クランキングによって前記エンジンを再始動させる機能とを有するエンジンの自動停止始動制御装置において、
前記エンジンの自動停止後において前記再始動条件の成立に先立ち、前記検出手段によって検出された回転速度に基づき前記出力軸の回転が停止する直前であると判断された場合、前記ピニオンを前記リングギアに噛み合わせるべく前記アクチュエータを通電操作するプリセット制御を実行するプリセット制御手段と、
前記プリセット制御が繰り返し実行されるか否かを予測する予測手段と、
該予測手段によって前記プリセット制御が繰り返し実行されると予測された場合、前記プリセット制御手段によるプリセット制御の実行を禁止する禁止手段とを備えることを特徴とするエンジンの自動停止始動制御装置。
【請求項２】
前記プリセット制御が既に実行されたか否かに関する情報を記憶する記憶手段を更に備え、
前記予測手段は、前記検出手段によって検出された回転速度に基づき前記出力軸の回転が停止する直前であると判断されて且つ、前記記憶手段に記憶された情報に基づき前記プリセット制御が既に実行されたと判断された場合、前記プリセット制御が繰り返し実行されると予測することを特徴とする請求項１記載のエンジンの自動停止始動制御装置。
【請求項３】
前記アクチュエータは、該アクチュエータへの通電によって前記ピニオンの押し出し操作を行い、通電の停止によって該ピニオンの押し出し操作を解除するものであり、
前記プリセット制御手段は、前記アクチュエータへの通電後、前記出力軸の回転が停止されたと判断された場合、該アクチュエータへの通電を停止することを特徴とする請求項１又は２記載のエンジンの自動停止始動制御装置。
【請求項４】
前記検出手段は、電磁ピックアップ式のものであることを特徴とする請求項３に記載のエンジンの自動停止始動制御装置。
【発明の詳細な説明】
【技術分野】
【０００１】
本発明は、ピニオンを回転駆動させるモータと、エンジンの出力軸に連結されたリングギアに前記ピニオンを噛み合わせるべく該ピニオンを該リングギアに向かって押し出す電磁駆動式のアクチュエータとを有して構成されるスタータと、前記出力軸の回転速度を検出する検出手段とを備えて構成される車両に適用され、前記リングギアに前記ピニオンを噛み合わせた状態で該ピニオンを回転駆動させることによりクランキングを行わせる機能と、所定の停止条件が成立した場合に前記エンジンを自動停止させ、その後所定の再始動条件が成立した場合に前記クランキングによって前記エンジンを再始動させる機能とを有するエンジンの自動停止始動制御装置に関する。
【背景技術】
【０００２】
この種の制御装置としては、下記特許文献１に見られるように、エンジンの自動停止後においてエンジンの再始動条件の成立に先立ち、上記検出手段の検出値に基づき出力軸の回転が停止する直前であると判断された場合、ピニオンをリングギアに向かって押し出してピニオンをリングギアに予め噛み合わせた状態とする制御（以下、プリセット制御）を実行するものが知られている。この制御によれば、その後エンジンの再始動条件が成立する場合に、ピニオンをリングギアに向かって押し出す操作を省略することができ、エンジンを速やかに再始動させることが可能となる。
【先行技術文献】
【特許文献】
【０００３】
【特許文献１】特表２００８−５１００９９号公報
【発明の概要】
【発明が解決しようとする課題】
【０００４】
ところで、エンジンの自動停止中においてプリセット制御が繰り返し実行されることがある。これは、以下の要因によって発生し得る。つまり例えば、プリセット制御の完了後において、ドライバの車両操作によって出力軸の回転速度が上昇・低下を繰り返す等、出力軸の回転速度が変動することで、プリセット制御を実行する状況である出力軸の回転が停止直前である状況と再度判断されることに起因して、プリセット制御が繰り返し実行され得る。また例えば、検出手段の出力値に何らかの要因で電気的なノイズが混入することに起因して、プリセット制御を実行する状況でないにもかかわらずこの制御を実行する状況であると誤判断されることによってもプリセット制御が繰り返し実行され得る。ここでプリセット制御が繰り返し実行されると、ピニオンを押し出すためのアクチュエータによってピニオンとリングギアとを噛み合わすための操作が繰り返されること（噛み合い操作のハンチング）に起因して、上記アクチュエータの作動音が繰り返し発生する等の不都合が発生するおそれがある。
【０００５】
本発明は、上記課題を解決するためになされたものであり、その目的は、プリセット制御が繰り返し実行されることに起因する不都合の発生を適切に回避することのできるエンジンの自動停止始動制御装置を提供することにある。
【課題を解決するための手段】
【０００６】
以下、上記課題を解決するための手段、及びその作用効果について記載する。
【０００７】
請求項１記載の発明は、ピニオンを回転駆動させるモータと、エンジンの出力軸に連結されたリングギアに前記ピニオンを噛み合わせるべく該ピニオンを該リングギアに向かって押し出す電磁駆動式のアクチュエータとを有して構成されるスタータと、前記出力軸の回転速度を検出する検出手段とを備える車両に適用され、前記リングギアに前記ピニオンを噛み合わせた状態で該ピニオンを回転駆動させることによりクランキングを行わせる機能と、所定の停止条件が成立した場合に前記エンジンを自動停止させ、その後所定の再始動条件が成立した場合に前記クランキングによって前記エンジンを再始動させる機能とを有するエンジンの自動停止始動制御装置において、前記エンジンの自動停止後において前記再始動条件の成立に先立ち、前記検出手段によって検出された回転速度に基づき前記出力軸の回転が停止する直前であると判断された場合、前記ピニオンを前記リングギアに噛み合わせるべく前記アクチュエータを通電操作するプリセット制御を実行するプリセット制御手段と、前記プリセット制御が繰り返し実行されるか否かを予測する予測手段と、該予測手段によって前記プリセット制御が繰り返し実行されると予測された場合、前記プリセット制御手段によるプリセット制御の実行を禁止する禁止手段とを備えることを特徴とする。
【０００８】
上記発明では、予測手段を備えることで、プリセット制御が繰り返し実行されると予測された場合、プリセット制御の実行を禁止する。これにより、上記アクチュエータによってピニオンとリングギアとを噛み合わせるための操作が繰り返されること（噛み合い操作のハンチング）に起因する不都合の発生を適切に回避することができる。
【０００９】
請求項２記載の発明は、請求項１記載の発明において、前記プリセット制御が既に実行されたか否かに関する情報を記憶する記憶手段を更に備え、前記予測手段は、前記検出手段によって検出された回転速度に基づき前記出力軸の回転が停止する直前であると判断されて且つ、前記記憶手段に記憶された情報に基づき前記プリセット制御が既に実行されたと判断された場合、前記プリセット制御が繰り返し実行されると予測することを特徴とする。
【００１０】
プリセット制御の完了後、例えばドライバのブレーキ操作等の車両操作によって出力軸の回転速度が変動したり、検出手段の出力値にノイズが混入したりすることに起因して、検出された回転速度が上昇・低下を繰り返す等、検出された回転速度が変動することがある。この場合、出力軸の回転が停止直前と再度判断されることに起因して、プリセット制御が繰り返し実行されることがある。すなわち、プリセット制御の完了後、出力軸の回転が停止直前と再度判断される状況は、その後プリセット制御が繰り返し実行される状況となり得る。この点に鑑み、上記発明では、記憶手段を備え、出力軸の回転が停止する直前であると判断されて且つ、記憶手段に記憶された情報に基づきプリセット制御が既に実行されたと判断された場合、出力軸の回転が停止直前と再度判断される状況であると判断し、プリセット制御が繰り返し実行されると予測する。これにより、プリセット制御が繰り返し実行されるおそれのある状況を適切に把握することができる。
【００１１】
請求項３記載の発明は、請求項１又は２記載の発明において、前記アクチュエータは、該アクチュエータへの通電によって前記ピニオンの押し出し操作を行い、通電の停止によって該ピニオンの押し出し操作を解除するものであり、前記プリセット制御手段は、前記アクチュエータへの通電後、前記出力軸の回転が停止されたと判断された場合、該アクチュエータへの通電を停止することを特徴とする。
【００１２】
上記発明では、アクチュエータの信頼性の低下を回避すること等を目的として、アクチュエータへの通電によってピニオンをリングギアに噛み合わせた後、出力軸の回転が停止されたと判断された場合、アクチュエータへの通電を停止している。ただしアクチュエータへの通電を停止すると、アクチュエータによるピニオンの押し出し操作が解除されるため、その後出力軸が回転することによってピニオンとリングギアとの噛み合いが解除されるピニオン抜けが発生する。ここでピニオン抜けが発生した状態でプリセット制御が繰り返し実行されると、ピニオンとリングギアとの噛み合わせ音の発生や、ピニオンやリングギアの信頼性の低下が顕著となるおそれがある。このため、上記態様にてアクチュエータへの通電が停止される上記発明は、禁止手段を備えるメリットが大きい。
【００１３】
請求項４記載の発明は、請求項３記載の発明において、前記検出手段は、電磁ピックアップ式のものであることを特徴とする。
【００１４】
電磁ピックアップ式の検出手段では、出力軸の回転が停止直前となる状況下において、出力軸の回転速度の検出精度が低下することがある。この場合例えば、出力軸の回転が実際には停止直前となっていないにもかかわらずアクチュエータへの通電が開始されたり、その後出力軸の回転が実際には停止していないにもかかわらず停止したと判断されることでアクチュエータへの通電が停止されたりすることが繰り返されやすくなるおそれがある。そしてこの場合、プリセット制御が繰り返し実行されやすくなり、噛み合い操作のハンチングに起因する不都合の発生頻度が高くなるおそれがある。このため、上記検出手段を備える上記発明は、禁止手段を備えるメリットが大きい。
【図面の簡単な説明】
【００１５】
【図１】一実施形態にかかるシステム構成図。
【図２】一実施形態にかかるプリセット制御の概要を示す図。
【図３】一実施形態にかかるプリセット制御処理の手順を示すフローチャート。
【発明を実施するための形態】
【００１６】
以下、本発明にかかる制御装置を車載エンジンシステムに適用した一実施形態について、図面を参照しつつ説明する。
【００１７】
図１に本実施形態にかかるシステム構成図を示す。
【００１８】
図示されるように、スタータ１０は、モータ１２、モータ１２によって回転駆動されるピニオン１４及びピニオン１４を押し出すための電磁駆動式のアクチュエータ１６（以下、アクチュエータＳＬ１）等を備えて構成され、ピニオン１４の回転駆動操作及びピニオン１４の押し出し操作のそれぞれを個別に実行可能なものである。詳しくは、モータ１２は、バッテリ１８を電力供給源として回転駆動されるものであり、モータ１２とバッテリ１８との間には、モータ１２への通電又は非通電を切り替えるスイッチ２０（以下、モータスイッチＳＬ２）が設けられている。そして、モータスイッチＳＬ２には、このスイッチのオン・オフを切り替えるＳＬ２駆動リレー２２が接続されている。
【００１９】
上記モータ１２には、モータ１２への通電により回転駆動されるピニオン軸２４が接続されており、ピニオン軸２４の一端には、ワンウエイクラッチ２６を介して上記ピニオン１４が支持されている。詳しくは、ＳＬ２駆動リレー２２のオンによってモータスイッチＳＬ２がオンされ、バッテリ１８からモータ１２に通電されると、ピニオン軸２４の回転駆動に伴いピニオン１４が回転駆動される。なお、ワンウエイクラッチ２６は、ピニオン１４の回転速度がピニオン軸２４の回転速度を上回らない限り、ピニオン軸２４からピニオン１４に動力の伝達を行うものである。
【００２０】
上記ピニオン軸２４の他端は、軸３０を中心に回動するレバー３２の一端に支持されている。レバー３２の他端には、上記アクチュエータＳＬ１からの力が作用するようになっている。詳しくは、アクチュエータＳＬ１は、コイル３４、コイル３４内に配置されて且つレバー３２によって支持されたプランジャ３６及びリターンスプリング３８等を備えて構成され、バッテリ１８を電力供給源として駆動されるものである。コイル３４とバッテリ１８との間には、コイル３４への通電又は非通電を切り替えるＳＬ１駆動リレー４０が設けられている。
【００２１】
こうした構成において、ピニオン１４は、ＳＬ１駆動リレー４０がオフされてコイル３４に通電されない場合、エンジン４２の出力軸（クランク軸４４）に機械的に連結されたリングギア４６に対して非接触の状態で配置されることとなる。このような状況下において、ＳＬ１駆動リレー４０がオンされてバッテリ１８からコイル３４に通電されると、プランジャ３６にコイル３４の吸引力が作用する。そして、プランジャ３６に作用する上記吸引力が、プランジャ３６に作用するリターンスプリング３８の付勢力に打ち勝つと、プランジャ３６がその軸線方向に変位する。これにより、レバー３２が軸３０を中心に回動することで、ピニオン軸２４がリングギア４６に向かって押し出され、ピニオン１４がリングギア４６に接触して噛み合わされる。そしてその後、ＳＬ１駆動リレー４０がオフされてバッテリ１８からコイル３４への通電が遮断されると、コイル３４の吸引力が無くなることで、プランジャ３６に作用するリターンスプリング３８の付勢力によってプランジャ３６がその軸線方向に変位する。これにより、ピニオン軸２４がリングギア４６から離間する方向に変位し、ピニオン１４とリングギア４６との噛み合いが解除される。
【００２２】
なお、ピニオン１４とリングギア４６との噛み合いは、コイル３４に通電されていない状況下においてクランク軸４４（リングギア４６）が回転すると、速やかに解除されるようになっている。詳しくは、クランク軸４４が回転すると、ピニオン１４及びリングギア４６の互いの歯部の摩擦力が解除され、リターンスプリング３８の付勢力によってピニオン１４が変位することで、ピニオン１４とリングギア４６との噛み合いが速やかに解除されるようになっている。これは、ワンウエイクラッチ２６の信頼性が低下する事態を回避するためである。つまり、ピニオン１４とリングギア４６との噛み合いが解除されないままエンジン４２が始動される場合、ワンウエイクラッチ２６によってピニオン１４が空転されることで、リングギア４６の回転力がピニオン軸２４に伝達されないものの、ピニオン回転速度がワンウエイクラッチ２６の信頼性を維持するための上限速度を超えると、ワンウエイクラッチ２６の信頼性が低下するおそれがある。このため、噛み合いが速やかに解除される構成を採用することで、ワンウエイクラッチ２６の信頼性の低下を回避する。
【００２３】
上記エンジン４２には、エンジン４２の燃焼室に燃料を供給する電磁駆動式の燃料噴射弁４８が設けられている。またエンジン４２のクランク軸４４付近には、クランク軸４４の回転角度を検出するクランク角度センサ５０が設けられている。詳しくは、クランク角度センサ５０は、クランク軸４４と一体で回転するパルサ（回転円板）５０ａと、その外周部付近に設けられた電磁ピックアップ部５０ｂとを備えて構成される電磁ピックアップ式のものである。パルサ５０ａの外周部には、等間隔（例えば３０°ＣＡ毎）で複数の突起が設けられている。クランク角度センサ５０は、パルサ５０ａに設けられた突起が電磁ピックアップ部５０ｂを横切るときに、矩形状のクランク信号を出力する。
【００２４】
上記クランク軸４４の回転動力は、変速装置（自動変速装置５２）等を介して駆動輪５４に伝達される。詳しくは、自動変速装置５２は、トルクコンバータ及び変速機構等を備えて構成され、クランク軸４４の回転速度を自動変速装置５２の変速比等に従った駆動輪５４の回転速度に変換するものである。
【００２５】
エンジンシステムを操作対象とする電子制御装置（以下、ＥＣＵ５６）は、各種の演算を行うＣＰＵ、その演算結果等を一時的に記憶するＲＡＭ５６ａ、各種制御プログラムを記憶するＲＯＭ等よりなるマイクロコンピュータを主体として構成されている。ＥＣＵ５６には、クランク角度センサ５０等の出力信号が入力される。ＥＣＵ５６は、上記入力に応じて、上記各種の制御プログラムを実行することで、燃料噴射弁４８による燃料噴射制御や、アイドルストップ制御、更にはスタータ１０の駆動制御等を実行する。
【００２６】
上記アイドルストップ制御は、所定の停止条件が成立する場合に燃料噴射弁４８からの燃料噴射の停止等によってエンジン４２を自動停止させ、その後、所定の再始動条件が成立する場合にスタータ１０の駆動制御及び燃料噴射弁４８からの燃料噴射の開始等によってエンジン４２を再始動させるものである。なお、上記停止条件は例えば、ブレーキ操作がなされているとの条件及び車両の走行速度が所定速度（０又は０よりも高い所定速度）以下になるとの条件等の論理積が真であるとの条件とすればよい。また、上記再始動条件は例えば、アクセル操作がなされているとの条件及び図示しない機関駆動式の車載補機の駆動要求があるとの条件（例えばバッテリ１８の蓄電量が所定以下になって車載発電機の駆動要求があるとの条件）等の論理和が真であるとの条件とすればよい。
【００２７】
スタータ１０の駆動制御は、ＳＬ１駆動リレー４０及びＳＬ２駆動リレー２２の通電操作によってピニオン１４をリングギア４６に噛み合わせた状態でピニオン１４を回転駆動させることでクランク軸４４に初期回転を付与する（クランキングを行う）ものとなる。
【００２８】
上記エンジン４２の再始動は、再始動条件の成立に伴い極力速やかに開始されることが望ましいものの、リングギア回転速度（エンジン回転速度）が高い状態でピニオン１４をリングギア４６に接触させると、ピニオン１４とリングギア４６との噛み合い時に発生する音が大きくなり、ドライバに不快感を与えるおそれがある。このため本実施形態では、エンジン４２が自動停止された後のエンジン回転速度が低下する期間（回転速度低下期間）にエンジン４２の再始動条件が成立した場合、上記駆動制御として、ピニオン１４の歯部の速度と、リングギア４６の歯部の速度との差が小さい状況においてピニオン１４をリングギア４６に接触させて噛み合わすようにＳＬ１駆動リレー４０及びＳＬ２駆動リレー２２をオン・オフする制御を実行する。
【００２９】
特にＥＣＵ５６は、スタータ１０の駆動制御として更に、プリセット制御を行う。この制御は、上記回転速度低下期間においてクランク軸４４の回転が停止する直前となる状況下においても再始動条件が成立しない場合、クランク軸４４の回転が停止する前にピニオン１４をリングギア４６に予め噛み合わせるべくアクチュエータＳＬ１を通電操作するものである。これにより、その後再始動条件が成立する場合にピニオン１４をリングギア４６に押し出して噛み合わせる操作を省略することができ、エンジン４２を速やかに再始動させることが可能となる。以下、図２を用いて上記プリセット制御について詳述する。
【００３０】
この制御では、まず、エンジン４２の停止条件の成立後（時刻ｔ１後）の回転速度低下期間において、プリセット制御の実行条件が成立するか否かを判断する。本実施形態では、上記実行条件を、回転速度低下期間においてクランク信号に基づくエンジン回転速度が規定速度Ｎαを下回ったとの条件とする。ここで上記規定速度Ｎαは、クランク軸４４の回転が停止直前となるエンジン回転速度（例えば数十ｒｐｍ）に設定すればよい。その後、プリセット制御の実行条件が成立すると判断されたタイミング（時刻ｔ２）でＳＬ１駆動リレー４０をオンに切り替えてピニオン１４をリングギア４６に向かって押し出す。これにより、ピニオン１４の歯部がリングギア４６の歯部の側面に接触した後、回転速度低下期間中におけるクランク軸４４（リングギア４６）の惰性回転によってピニオン１４及びリングギア４６の互いの歯部が噛み合わされる。そしてその後、クランク軸４４の回転が完全に停止した状態である（完全停止判定がなされた）か否かを判断する。ここで完全停止判定がなされたか否かは、クランク角度センサ５０からクランク信号が規定時間内に入力されないか否かに基づき判断すればよい。その後、完全停止判定がなされたと判断されたタイミング（時刻ｔ３）でＳＬ１駆動リレー４０をオフに切り替えることで、コイル３４への通電を停止してプリセット制御を完了する。ここでコイル３４への通電を停止するのは、ピニオン１４とリングギア４６との噛み合い状態を保持しつつ、バッテリ１８の消費電力やコイル３４の発熱を抑制するためである。つまり、コイル３４への通電が停止される場合であっても、クランク軸４４（リングギア４６）の回転停止状態が保持されていれば、リターンスプリング３８の付勢力に起因してピニオン１４がリングギア４６から離間する方向にピニオン１４が受ける力よりも、ピニオン１４及びリングギア４６の互いの歯部の摩擦力の方が大きいため、ピニオン１４とリングギア４６との噛み合い状態が保持される。
【００３１】
なお、プリセット制御の完了後、エンジン４２の再始動条件が成立するまでは、ＳＬ１駆動リレー４０のオフ状態が保持される。そしてその後、エンジン４２の再始動条件の成立に伴いＳＬ１駆動リレー４０及びＳＬ２駆動リレー２２がオンされる。これにより、ピニオン１４の回転駆動が開始されることで、クランキングが行われる。
【００３２】
ところで、エンジン４２の自動停止中においてプリセット制御が繰り返し実行されることに起因して、種々の不都合が発生するおそれがある。詳しくは例えば、車両が下り坂に位置する状態でプリセット制御が完了した後、ドライバがブレーキ操作を緩めることによって、車両が走行を開始して駆動輪５４の回転動力が自動変速装置５２を介してクランク軸４４に伝達され、クランク軸４４の回転が開始されることがある。この場合、その後のドライバのブレーキ操作によっては、エンジン回転速度が上昇・低下を繰り返す等、エンジン回転速度が変動することがある。そしてこの場合、エンジン回転速度が上記規定速度Ｎαを跨ぐことによってプリセット制御の実行条件が再度成立することに起因して、プリセット制御が繰り返し実行されることがある。
【００３３】
一方、クランク軸４４が回転を開始すると、ＳＬ１駆動リレー４０がオフに切り替えられているため、ピニオン１４及びリングギア４６の互いの歯部の摩擦力が解除され、ピニオン１４とリングギア４６との噛み合いが解除されるピニオン抜けが発生する。
【００３４】
ここでピニオン抜けが発生した状態でプリセット制御が繰り返し実行されると、アクチュエータＳＬ１によってピニオン１４とリングギア４６とを噛み合わせるための操作が繰り返されること（噛み合い操作のハンチング）に起因して、アクチュエータＳＬ１の作動音やピニオン１４とリングギア４６との噛み合わせ時の音が繰り返し発生したり、ピニオン１４やリングギア４６の信頼性が低下したりする等の不都合が発生するおそれがある。
【００３５】
こうした問題を解決すべく、本実施形態では、プリセット制御の完了後であって且つエンジン４２の再始動条件の成立前にプリセット制御が繰り返し実行されるか否かを予測し、繰り返し実行されると予測された場合、その後上記実行条件が再度成立するときであっても、プリセット制御を禁止するプリセット禁止処理を実行する。これにより、噛み合い操作のハンチングに起因する不都合の発生の回避を図る。
【００３６】
図３に、本実施形態にかかる上記禁止処理を含むプリセット制御処理の手順を示す。この処理は、ＥＣＵ５６によって実行される。なお、図３において、エンジン４２の停止条件の成立後に再始動条件が成立したと判断された場合、プリセット制御処理が中止されて速やかにエンジン４２を再始動させる処理が実行される。
【００３７】
この一連の処理では、まずステップＳ１０において、エンジン４２の停止条件が成立したと判断されるまで待機する。
【００３８】
続くステップＳ１２では、プリセット制御の実行条件が成立したか否かを判断する。
【００３９】
ステップＳ１２においてプリセット制御の実行条件が成立したと判断された場合には、ステップＳ１４に進み、今回の自動停止による回転速度低下期間中にプリセット制御が既に実行されたか否かを示すプリセット実行履歴フラグが「ＯＦＦ」であるか否かを判断する。ここで上記フラグの値は、プリセット制御が既に実行されたか否かに関する情報であり、「ＯＦＦ」によって今回の自動停止による回転速度低下期間中にプリセット制御が未だ実行されていないことを示し、「ＯＮ」によって上記期間中にプリセット制御が実行されたことを示す。また、上記フラグの値は、ＥＣＵ５６のＲＡＭ５６ａに記憶されている。
【００４０】
ステップＳ１４においてプリセット実行履歴フラグが「ＯＦＦ」であると判断された場合には、今回の自動停止による回転速度低下期間中に未だプリセット制御が実行されていないと判断し、ステップＳ1６〜Ｓ２２においてプリセット制御を実行する。詳しくは、まずステップＳ１６において、プリセット実行履歴フラグを「ＯＮ」としてＲＡＭ５６ａに記憶する。
【００４１】
続くステップＳ１８、Ｓ２０では、完全停止判定がなされたと判断されるまでピニオン１４の押し出し動作を継続すべくＳＬ１駆動リレー４０のオン状態を継続する。
【００４２】
ステップＳ２０において完全停止判定がなされたと判断された場合には、ステップＳ２２に進み、コイル３４への通電を停止すべくＳＬ１駆動リレー４０をオフに切り替えてプリセット制御を完了する。これにより、ピニオン１４の押し出し操作が解除される。
【００４３】
続くステップＳ２４では、エンジン回転速度が上昇した後に低下する等、クランク信号に基づくエンジン回転速度が変動するか否かを判断する。
【００４４】
ステップＳ２４においてエンジン回転速度が変動すると判断された場合には、上記ステップＳ１２に戻る。ここで、エンジン回転速度の変動に起因してその後エンジン回転速度が上記規定速度Ｎαを下回ることによってプリセット制御の実行条件が再度成立すると判断される状況は、その後もエンジン回転速度が規定速度Ｎαを何回も跨ぐ蓋然性が高い状況であり、プリセット制御が繰り返し実行される状況となり得る。この点に鑑み、上記ステップＳ１２において肯定判断されて且つ、続く上記ステップＳ１４においてＲＡＭ５６ａに記憶されたプリセット実行履歴フラグが「ＯＮ」であると判断された場合、プリセット制御の実行条件が再度成立する状況であると判断し、その後プリセット制御が繰り返し実行されると予測する。そして、続くステップＳ２６において上記プリセット禁止処理を実行する。
【００４５】
ちなみに、エンジン４２の再始動が完了する場合、プリセット実行履歴フラグの値は初期化（「ＯＦＦ」）される。また、プリセット実行履歴フラグの値は、ＲＡＭ５６ａに記憶されているため、イグニッションスイッチがオフ操作されてＥＣＵ５６の主電源がオフとされた後、イグニッションスイッチがオン操作されることでＥＣＵ５６の主電源がオンされる際にも初期化される。すなわち、本実施形態では、プリセット制御の実行履歴は、エンジン４２の再始動が完了することと、イグニッションスイッチが再度オン操作されることとの論理和が真となることで消去される。
【００４６】
なお、ステップＳ２４において否定判断される場合や、ステップＳ２６の処理が完了する場合には、この一連の処理を一旦終了する。
【００４７】
以上詳述した本実施形態によれば、以下の効果が得られるようになる。
【００４８】
（１）プリセット制御の実行条件が成立すると判断されて且つ、ＲＡＭ５６ａに記憶されたプリセット実行履歴フラグの値に基づきプリセット制御が既に実行されたと判断された場合、プリセット制御が繰り返し実行されると予測してプリセット禁止処理を実行した。これにより、ピニオン１４とリングギア４６との噛み合い操作のハンチングに起因する不都合の発生を適切に回避することができる。
【００４９】
（２）クランク軸４４の回転が完全に停止されたと判断された場合、コイル３４への通電を停止すべくＳＬ１駆動リレー４０をオフに切り替える構成とした。この場合、その後クランク軸４４の回転によってピニオン抜けが発生することとなる。そして、プリセット制御が繰り返し実行される場合には、噛み合い操作のハンチングに起因する噛み合い音等の不都合の発生が顕著となりやすい。このため、上記態様にてＳＬ１駆動リレー４０をオフさせる本実施形態は、上記プリセット禁止処理の利用価値が高い。
【００５０】
（その他の実施形態）
なお、上記実施形態は、以下のように変更して実施してもよい。
【００５１】
・プリセット制御が繰り返し実行されるか否かを予測する手法としては、上記実施形態に例示したものに限らない。例えば、車両に作用する加速度を検出する加速度センサを備え、このセンサの検出値に基づきプリセット制御が繰り返し実行されるか否かを予測してもよい。具体的には例えば、プリセット制御の完了後であって且つ再始動条件の成立前に加速度センサの検出値が所定以上になると判断された場合、上記繰り返し実行されると予測すればよい。これは、以下の理由に基づくものである。つまり、プリセット制御の完了後、例えば駆動輪５４の回転動力が変速装置（自動変速装置又は手動変速装置）を介してクランク軸４４に伝達されない場合であっても、ブレーキ操作による制動力や何らかの振動が車両に加わることに起因して、クランク軸４４が揺れることでエンジン回転速度が変動することが考えられる。この際、車両に作用する加速度が大きいと、クランク軸４４の揺れが大きくなってエンジン回転速度の変動が大きくなり、エンジン回転速度が上記規定速度Ｎαを跨ぐことでプリセット制御が繰り返し実行される蓋然性が高くなると考えられる。
【００５２】
・プリセット実行履歴フラグの値を記憶する手段としては、ＲＡＭ５６ａに限らない。例えば、ＥＣＵ５６とバッテリ１８との間の主接続（イグニッションスイッチ）の状態にかかわらず常時給電状態が維持されることで記憶データが保持されるバックアップＲＡＭや、不揮発性のメモリ（ＥＥＰＲＯＭ）等としてもよい。
【００５３】
・プリセット制御が繰り返し実行されることに起因する不都合が発生し得る状況としては、上記実施形態に例示したものに限らない。詳しくは例えば、プリセット制御の完了後、ピニオン１４とリングギア４６との噛み合いが保持された状態でクランク軸４４の回転が停止される状況下、クランク信号に何らかの電気的なノイズが混入することに起因して、エンジン回転速度が上記規定速度Ｎαを跨いだと誤判断されるおそれがある。そしてこの場合、プリセット制御の実行条件が再度成立したと誤って判断されることでプリセット制御が繰り返し実行され、アクチュエータＳＬ１の作動音が繰り返される不都合が発生するおそれがある。
【００５４】
また例えば、回転速度低下期間において、プリセット制御の実行条件が成立していないにもかかわらずこの条件が成立したと誤判断されることでプリセット制御が開始されたり、その後クランク軸４４の回転が停止されていないにもかかわらず誤って完全停止判定がなされたりすることがある。これは、エンジン回転速度が極低回転速度領域（例えば３００ｒｐｍ以下の領域）となる場合に、パルサ５０ａに設けられた突起が電磁ピックアップ部５０ｂを通過するときに磁界変化が生じにくくなること等に起因して、電磁ピックアップ式のクランク角度センサ５０からクランク信号が適切に出力されないことによってクランク角度センサ５０による検出精度が低下することによるものである。この場合、プリセット制御が繰り返し実行されやすくなり、ピニオン１４とリングギア４６との噛み合い音が繰り返される等の不都合の発生頻度が高くなるおそれがある。
【００５５】
ここでクランク信号にノイズが混入する場合には、クランク信号に基づくエンジン回転速度が変動すると考えられる。このため例えば、プリセット制御の完了後であって且つ再始動条件の成立前にクランク信号から算出されるエンジン回転速度が変動するか否かを判断することで、その後プリセット制御が繰り返し実行されるか否かを予測することができる。そして上記繰り返されると予測された場合には、プリセット禁止処理によって上記不都合の発生を適切に回避することができる。
【００５６】
・上記実施形態では、プリセット制御として、クランク軸４４の回転が停止したと判断された場合にＳＬ１駆動リレー４０をオフに切り替えるものとしたがこれに限らない。例えば、エンジン回転速度が規定速度Ｎαを下回ることを条件としてＳＬ１駆動リレー４０のオン状態を継続させるものとしてもよい。この場合であっても、ピニオン１４とリングギア４６との噛み合いが保持された状態でクランク軸４４の回転が停止される状況下、車両に作用する振動やクランク信号に混入するノイズ等に起因してプリセット制御が繰り返し実行されることで、アクチュエータＳＬ１の作動音が繰り返される不都合が発生するおそれがある。このため、本願発明の適用が有効である。
【００５７】
・プリセット制御の禁止手法としては、上記実施形態に例示したものに限らない。例えば、エンジン４２の停止条件が成立してから初回のプリセット制御の実行条件の成立前までの期間において、上記加速度センサの検出値に基づきクランク軸４４の揺れが大きくなる蓋然性が高いと判断された場合や、ノイズの混入によりクランク信号から算出されるエンジン回転速度が変動すると判断された場合、プリセット制御が繰り返し実行されると予測し、プリセット禁止処理を実行してもよい。なお、エンジン回転速度の変動に基づく予測手法としては、具体的には例えば、回転速度低下期間において、クランク軸４４の正回転を妨げる力（フリクションロス等）によって通常想定されるエンジン回転速度の低下軌道から過度にずれるようなエンジン回転速度の変動が生じると判断された場合、上記繰り返し実行されると予測するものを採用すればよい。
【符号の説明】
【００５８】
１０…スタータ、１２…モータ、１４…ピニオン、１６…アクチュエータ、４２…エンジン、４４…クランク軸、４６…リングギア、５０…クランク角度センサ、５６…ＥＣＵ（エンジンの自動停止始動制御装置の一実施形態）、５６ａ…ＲＡＭ。
【図１】
0005429121.tif 000002
【図２】
0005429121.tif 000003
【図３】
0005429121.tif 000004